(57)【要約】【課題】カバー体の側部枠体に対するガタつきを抑制可能な据置台を提供する。【解決手段】本発明の一態様に係る据置台は、下部部材と、上部部材とを有する側部枠体と、側部枠体に取り付けられるカバー体とを備える。下部部材及び上部部材の一方には、第１取り付け片が設けられている。カバー体には、第１取り付け片が挿入されている第１取り付け孔が設けられている。第１取り付け孔は、第１方向に沿って配置される第１領域及び第２領域を有している。第１領域は第２方向において互いに対向する第１辺及び第２辺を含んでおり、第２領域は第２方向において互いに対向する第３辺及び第４辺を含んでいる。第２辺は第２方向において第３辺と第４辺との間にあり、第３辺は第２方向において第１辺と第２辺との間にある。【選択図】図１
2019203584.tif 000002
【特許請求の範囲】
【請求項１】
下部部材と、前記下部部材の上方に位置する上部部材とを有する側部枠体と、
前記側部枠体に取り付けられるカバー体とを備え、
前記下部部材及び前記上部部材の一方には、第１取り付け片が設けられており、
前記カバー体には、前記第１取り付け片が挿入されている第１取り付け孔が設けられており、
前記第１取り付け孔は、前記第１取り付け片の厚さ方向に交差する第１方向に沿って配置される第１領域及び第２領域を有し、
前記第１領域は、前記第１取り付け片の厚さ方向に沿う第２方向において互いに対向する第１辺及び第２辺を含んでおり、
前記第２領域は、前記第２方向において互いに対向する第３辺及び第４辺を含み、
前記第２辺は、前記第２方向において前記第３辺と前記第４辺との間にあり、
前記第３辺は、前記第２方向において前記第１辺と前記第２辺との間にある、据置台。
【請求項２】
前記第１領域は、前記第１方向において互いに対向する第５辺及び第６辺をさらに含んでおり、
前記第２領域は、前記第１方向において互いに対向する第７辺及び第８辺をさらに含んでおり、
前記第６辺は、前記第１方向において前記第７辺と前記第８辺との間にあり、
前記第７辺は、前記第１方向において前記第５辺と前記第６辺との間にある、請求項１に記載の据置台。
【請求項３】
前記第１取り付け片が設けられた前記下部部材又は前記上部部材には、第２取り付け片がさらに設けられており、
前記カバー体には、前記第２取り付け片が挿入される第２取り付け孔がさらに設けられており、
前記第２取り付け孔は、前記第１取り付け孔と前記第２取り付け孔の間を通り、かつ前記第２方向に沿う直線に関して前記第１取り付け孔と対称な形状を有する、請求項１又は請求項２に記載の据置台。
【請求項４】
前記第２方向における前記第１辺と前記第２辺との距離及び前記第２方向における前記第３辺と前記第４辺との距離は、３ｍｍ以上であり、
前記第２方向における前記第２辺と前記第３辺との距離は、２ｍｍ以下である、請求項１〜請求項３のいずれか１項に記載の据置台。
【請求項５】
前記第１取り付け孔は、前記第１方向において前記第１領域との間で前記第２領域を挟み込むように配置される第３領域をさらに有しており、
前記第３領域は、前記第２方向において互いに対向する第９辺及び第１０辺を含み、
前記第１０辺は、前記第２方向において前記第３辺と前記第４辺との間にあり、
前記第３辺は、前記第２方向において前記第９辺と前記第１０辺との間にある、請求項２に記載の据置台。
【請求項６】
前記第３領域は、前記第１方向において互いに対向する第１１辺と第１２辺とをさらに含んでおり、
前記第８辺は、前記第１方向において前記第１１辺と前記第１２辺との間にあり、
前記第１１辺は、前記第１方向において前記第７辺と前記第８辺との間にある、請求項５に記載の据置台。
【請求項７】
下部部材と、前記下部部材の上方に位置する上部部材とを有する側部枠体と、
前記側部枠体に取り付けられるカバー体とを備え、
前記下部部材及び前記上部部材の一方には、第１取り付け片が設けられており、
前記カバー体には、前記第１取り付け片が挿入されている第１取り付け孔が設けられており、
前記第１取り付け孔は、前記第１取り付け片の厚さ方向に交差する第１方向に沿って配置される第１領域及び第２領域と、前記第１方向において前記第１領域及び前記第２領域に挟み込まれるように配置される第３領域とを有し、
前記第１取り付け片の厚さ方向に沿う第２方向における前記第１領域及び前記第２領域の幅は、前記第２方向における前記第３領域の幅よりも大きい、据置台。
【請求項８】
前記第１方向における前記第３領域の幅を前記第１方向における前記第１領域の幅及び前記第１方向における前記第２領域の幅の合計で除した値は、０．０１以上０．９９以下である、請求項７に記載の据置台。
【請求項９】
請求項１〜請求項８のいずれか１項に記載の前記据置台と、
前記据置台の上に載置される温水装置とを備える、組立体。
【発明の詳細な説明】
【技術分野】
【０００１】
本発明は、据置台及び組立体に関する。
【背景技術】
【０００２】
従来から、特開昭６０−２４０９５８号公報（特許文献１）に記載の据置装置が知られている。特許文献１に記載の据置装置の上には、温水装置が載置される。
【０００３】
特許文献１に記載の据置装置は、前面底ハリと、前面上ハリと、前板とを有している。前面底ハリには突起部が設けられており、前面上ハリには凹部が設けられている。前板の底面には角穴が設けられており、前板の上面には凸部が設けられている。前板は、底面の角穴が前面底ハリの突起部に挿入されるとともに、上面の凸部が前面上ハリの凹部に挿入されることにより、前面底ハリ及び前面上ハリに取り付けられている。
【先行技術文献】
【特許文献】
【０００４】
【特許文献１】特開昭６０−２４０９５８号公報
【発明の概要】
【発明が解決しようとする課題】
【０００５】
特許文献１においては、前板の底面に設けられた角穴の形状に関して、特段の言及がなされていない。特許文献１に記載の据置装置において、角穴の幅が広すぎる場合、前板が前面底ハリ及び全面上ハリに対して、ガタついてしまうおそれがある。
【０００６】
本発明は、上記のような従来技術の問題点に鑑みてなされたものである。より具体的には、本発明は、カバー体の側部枠体に対するガタつきを抑制することができる据置台を提供するものである。
【課題を解決するための手段】
【０００７】
（１）本発明の一態様に係る据置台は、下部部材と、下部部材の上方に位置する上部部材とを有する側部枠体と、側部枠体に取り付けられるカバー体とを備える。下部部材及び上部部材の一方には、第１取り付け片が設けられている。カバー体には、第１取り付け片が挿入されている第１取り付け孔が設けられている。第１取り付け孔は、第１取り付け片の厚さ方向に交差する第１方向に沿って配置される第１領域及び第２領域を有している。第１領域は、第１取り付け片の厚さ方向に沿う第２方向において互いに対向する第１辺及び第２辺を含んでいる。第２領域は、第２方向において互いに対向する第３辺及び第４辺を含んでいる。第２辺は、第２方向において第３辺と第４辺との間にある。第３辺は、第２方向において第１辺と第２辺との間にある。
【０００８】
本発明の一態様に係る据置台によると、カバー体の側部枠体に対するガタつきを抑制することができる。また、本発明の一態様に係る据置台によると、第１取り付け孔を抜き打ち加工で形成するための金型の耐久性を確保することができる。
【０００９】
上記（１）の据置台において、第１領域は、第１方向において互いに対向する第５辺及び第６辺をさらに含んでいてもよい。第２領域は、第１方向において互いに対向する第７辺及び第８辺をさらに含んでいてもよい。第６辺は、第１方向において、第７辺と第８辺との間にあってもよい。第７辺は、第１方向において、第５辺と第６辺との間にあってもよい。
【００１０】
この場合には、第１取り付け孔を抜き打ち加工で形成するための金型の耐久性を確保しながら、第１取り付け孔を１回の抜き打ち加工で形成することができる。
【００１１】
上記（１）の据置台において、第１取り付け片が設けられた下部部材又は上部部材には第２取り付け片がさらに設けられていてもよい。カバー体には第２取り付け片が挿入される第２取り付け孔がさらに設けられていてもよい。第２取り付け孔は、第１取り付け孔と第２取り付け孔の間を通り、かつ第２方向に沿う直線に関して第１取り付け孔と対称な形状を有していてもよい。
【００１２】
この場合には、カバー体が側部枠体に対して回転することに伴うガタつきを抑制することができる。
【００１３】
上記（１）の据置台において、第２方向における第１辺と第２辺との距離及び第２方向における第３辺と第４辺との距離は３ｍｍ以上であってもよい。第２方向における第２辺と第３辺との距離は２ｍｍ以下であってもよい。
【００１４】
この場合には、第１取り付け孔を抜き打ち加工で形成するための金型の耐久性を確保しながら、カバー体の側部枠体に対するガタつきを抑制することができる。
【００１５】
上記（１）の据置台において、第１取り付け孔は、第１方向において第１領域との間で第２領域を挟み込むように配置される第３領域をさらに有していてもよい。第３領域は、第２方向において互いに対向する第９辺及び第１０辺を含んでいてもよい。第１０辺は、第２方向において第３辺と第４辺との間にあってもよい。第３辺は、第２方向において第９辺と第１０辺との間にあってもよい。
【００１６】
この場合には、取り付け孔及び取り付け片の数がそれぞれ１個であっても、カバー体が側部枠体に対して回転することに伴うガタつきを抑制することができる。
【００１７】
上記（１）の据置台において、第３領域は、第１方向において互いに対向する第１１辺と第１２辺とをさらに含んでいてもよい。第８辺は、第１方向において、第１１辺と第１２辺との間にあってもよい。第１１辺は、第１方向において、第７辺と第８辺との間にあってもよい。
【００１８】
この場合には、第１取り付け孔を抜き打ち加工で形成するための金型の耐久性を確保しながら、第１取り付け孔を１回の抜き打ち加工で形成することができる。
【００１９】
（２）本発明の他の態様に係る据置台は、下部部材と、下部部材の上方に位置する上部部材とを有する側部枠体と、側部枠体に取り付けられるカバー体とを備える。下部部材及び上部部材の一方には、第１取り付け片が設けられている。カバー体には、第１取り付け片が挿入されている第１取り付け孔が設けられている。第１取り付け孔は、第１取り付け片の厚さ方向に交差する第１方向に沿って配置される第１領域及び第２領域と、第１方向において第１領域及び第２領域に挟み込まれるように配置される第３領域とを有する。第１取り付け片の厚さ方向に沿う第２方向における第１領域及び第２領域の幅は、第２方向における第３領域の幅よりも大きい。
【００２０】
本発明の他の態様に係る据置台によると、カバー体の側部枠体に対するガタつきを抑制することができる。また、本発明の他の態様に係る据置台によると、第１取り付け孔に対する第１取り付け片の挿入を容易に行うことができる。
【００２１】
上記（２）の据置台において、第１方向における第３領域の幅を第１方向における第１領域の幅及び第１方向における第２領域の幅の合計で除した値は、０．０１以上０．９９以下であってもよい。
【００２２】
この場合には、カバー体の側部枠体に対するガタつきを抑制しつつ、第１取り付け孔に対する第１取り付け片の挿入をさらに容易に行うことができる。
【００２３】
（３）本発明の一態様に係る組立体は、上記（１）又は上記（２）の据置台と、据置台の上に載置される温水装置とを備える。
【発明の効果】
【００２４】
本発明の一態様に係る据置台及び本発明の他の態様に係る据置台によると、カバー体の側部枠体に対するガタつきを抑制することができる。
【図面の簡単な説明】
【００２５】
【図１】第１実施形態に係る組立体の斜視図である。
【図２】第１実施形態に係る組立体における据置台２の分解斜視図である。
【図３】図２の領域ＩＩＩにおける拡大図である。
【図４】第１実施形態に係る組立体におけるカバー体２１ｂの側面図である。
【図５】第１実施形態に係る組立体におけるカバー体２１ｂの上面図である。
【図６】第１実施形態に係る組立体におけるカバー体２１ｂの第１変形例の上面図である。
【図７】第１実施形態に係る組立体におけるカバー体２１ｂの第２変形例の上面図である。
【図８】第１実施形態に係る組立体における温水装置１の概略図である。
【図９】比較例に係るカバー体２１ｂの上面図である。
【図１０】第２実施形態に係る組立体におけるカバー体２１ｂの上面図である。
【図１１】図１０の領域ＸＩにおける拡大図である。
【発明を実施するための形態】
【００２６】
実施形態の詳細を、図面を参照して説明する。以下の図面においては、同一又は相当する部分に同一の参照符号を付し、重複する説明は繰り返さない。
【００２７】
（第１実施形態）
以下に、第１実施形態に係る組立体の構成を説明する。
【００２８】
図１に示されるように、第１実施形態に係る組立体は、温水装置１と、据置台２とを有している。温水装置１は、据置台２の上に載置されている。
【００２９】
以下に、第１実施形態に係る据置台２の構成を説明する。
図２に示されるように、据置台２は、側部枠体２１ａと、カバー体２１ｂと、側部枠体２２ａと、カバー体２２ｂと、側部枠体２３ａと、カバー体２３ｂと、側部枠体２４と、上部枠体２５と、下部枠体２６とを有している。側部枠体２１ａ、カバー体２１ｂ、側部枠体２２ａ、カバー体２２ｂ、側部枠体２３ａ、カバー体２３ｂ、側部枠体２４、上部枠体２５及び下部枠体２６は、例えば炭素鋼で形成されている。温水装置１は、上部枠体２５上に載置され、温水装置１の下部から出ている温水配管（図示せず）を据置台２が隠蔽している。
【００３０】
側部枠体２１ａと側部枠体２３ａとは、方向ＤＲ１において、互いに対向している。方向ＤＲ１は、側部枠体２１ａから側部枠体２３ａに向かう方向である。側部枠体２２ａと側部枠体２４とは、方向ＤＲ２において、互いに対向している。方向ＤＲ２は、側部枠体２２ａから側部枠体２４に向かう方向である。方向ＤＲ１及び方向ＤＲ２は、互いに交差している。方向ＤＲ１と方向ＤＲ２とは、互いに直交していることが好ましい。
【００３１】
側部枠体２１ａは、下部部材２１ａａと、上部部材２１ａｂと、連結部材２１ａｃと、連結部材２１ａｄとを有している。上部部材２１ａｂは、下部部材２１ａａの上方に位置している。下部部材２１ａａは、一方端と他方端とを有している。
【００３２】
上部部材２１ａｂは、一方端と他方端とを有している。下部部材２１ａａの一方端及び上部部材２１ａｂの一方端は、同一の側に位置している。下部部材２１ａａの他方端及び上部部材２１ａｂの他方端は、同一の側に位置している。連結部材２１ａｃは、下部部材２１ａａの一方端と上部部材２１ａｂの一方端とを連結している。連結部材２１ａｄは、下部部材２１ａａの他方端と上部部材２１ａｂの他方端とを連結している。
【００３３】
側部枠体２１ａは、下部部材２１ａａ、上部部材２１ａｂ、連結部材２１ａｃ及び連結部材２１ａｄで画される開口を有している。カバー体２１ｂは、この開口を塞ぐように側部枠体２１ａに取り付けられている。
【００３４】
図３に示されるように、取り付け片２１ａｅ（第１取り付け片）と、取り付け片２１ａｆ（第２取り付け片）とが、下部部材２１ａａに設けられている。取り付け片２１ａｅ及び取り付け片２１ａｆは、上方に向かって下部部材２１ａａから突出している。取り付け片２１ａｅ及び取り付け片２１ａｆは、好ましくは、同一の形状を有している。
【００３５】
図４及び５に示されるように、カバー体２１ｂには、取り付け孔２１ｂａ（第１取り付け孔）と、取り付け孔２１ｂｂ（第２取り付け孔）とが設けられている。カバー体２１ｂの下端側は、方向ＤＲ１に沿って折り曲げられている。この折り曲げられているカバー体２１ｂの部分に、取り付け孔２１ｂａ及び取り付け孔２１ｂｂが設けられている。取り付け孔２１ｂａには、取り付け片２１ａｅが挿入され、取り付け孔２１ｂｂには、取り付け片２１ａｆが挿入されている。これにより、カバー体２１ｂの下端側は、下部部材２１ａａに取り付けられている。なお、カバー体２１ｂの上端側は、例えばネジにより、上部部材２１ａｂに取り付けられている。
【００３６】
取り付け孔２１ｂａは、平面視において、第１領域Ｒ１と、第２領域Ｒ２とを有している。第１領域Ｒ１及び第２領域Ｒ２は、矩形形状を有している。第１領域Ｒ１及び第２領域Ｒ２は、取り付け片２１ａｅの厚さ方向に交差する方向である方向ＤＲ３（第１方向）に沿って並んでいる。方向ＤＲ３は、取り付け片２１ａｅの厚さ方向に直交していることが好ましい。
【００３７】
第１領域Ｒ１は、辺Ｒ１ａ（第１辺）と辺Ｒ１ｂ（第２辺）とをさらに有している。辺Ｒ１ａと辺Ｒ１ｂとは、取り付け片２１ａｅの厚さ方向に沿う方向である方向ＤＲ４（第２方向）において、互いに対向している。第１領域Ｒ１は、辺Ｒ１ｃ（第５辺）と辺Ｒ１ｄ（第６辺）とをさらに有している。辺Ｒ１ｃ及び辺Ｒ１ｄとは、方向ＤＲ３において、互いに対向している。なお、辺Ｒ１ａ、辺Ｒ１ｂ、辺Ｒ１ｃ及び辺Ｒ１ｄは、直線でなくてもよい。すなわち、第１領域Ｒ１は、完全な矩形形状でなくてもよい。
【００３８】
第２領域Ｒ２は、辺Ｒ２ａ（第３辺）と辺Ｒ２ｂ（第４辺）とをさらに有している。辺Ｒ２ａと辺Ｒ２ｂとは、方向ＤＲ４において、互いに対向している。第２領域Ｒ２は、辺Ｒ２ｃ（第７辺）と辺Ｒ２ｄ（第８辺）とをさらに有している。辺Ｒ２ｃ及び辺Ｒ２ｄとは、方向ＤＲ３において、互いに対向している。なお、辺Ｒ２ａ、辺Ｒ２ｂ、辺Ｒ２ｃ及び辺Ｒ２ｄは、直線でなくてもよい。すなわち、第２領域Ｒ２は、完全な矩形形状でなくてもよい。
【００３９】
辺Ｒ１ｂは、方向ＤＲ４において、辺Ｒ２ａと辺Ｒ２ｂとの間にある。辺Ｒ２ａは、方向ＤＲ４において、辺Ｒ１ａと辺Ｒ１ｂとの間にある。
【００４０】
辺Ｒ１ｄは、方向ＤＲ３において、辺Ｒ２ｃと辺Ｒ２ｄとの間にあることが好ましい。辺Ｒ２ｃは、方向ＤＲ３において、辺Ｒ１ｃと辺Ｒ１ｄとの間にあることが好ましい。すなわち、第１領域Ｒ１と第２領域Ｒ２とは、部分的に重なり合って形成されていることが好ましい。
【００４１】
図６に示されるように、第１領域Ｒ１と第２領域Ｒ２とは、互いに重なり合っていなくてもよい。すなわち、辺Ｒ１ｄの方向ＤＲ３における位置と辺Ｒ２ｃの方向ＤＲ３における位置とが、一致していてもよい。
【００４２】
図５に示されるように、方向ＤＲ４における辺Ｒ１ａと辺Ｒ１ｂとの距離（方向ＤＲ４における辺Ｒ２ａと辺Ｒ２ｂとの距離）である幅Ｗ１は、方向ＤＲ４における辺Ｒ１ｂと辺Ｒ２ａとの距離である幅Ｗ２よりも大きい。幅Ｗ２は、取り付け片２１ａｅの厚さである厚さＴよりも大きい。厚さＴは、例えば、１．２ｍｍ以上１．６ｍｍ以下である。幅Ｗ１は、好ましくは、３ｍｍ以上である。幅Ｗ２は、好ましくは２ｍｍ以下である。
【００４３】
図７に示されるように、取り付け孔２１ｂａは、第３領域Ｒ３をさらに有していてもよい。第３領域Ｒ３は、矩形形状を有している。第３領域Ｒ３は、辺Ｒ３ａ（第９辺）と、辺Ｒ３ｂ（第１０辺）と、辺Ｒ３ｃ（第１１辺）と、辺Ｒ３ｄ（第１２辺）とを有している。辺Ｒ３ａと辺Ｒ３ｂとは、方向ＤＲ３において互いに対向しており、辺Ｒ３ｃと辺Ｒ３ｄとは、方向ＤＲ４において互いに対向している。なお、辺Ｒ３ａ、辺Ｒ３ｂ、辺Ｒ３ｃ及び辺Ｒ３ｄは、直線でなくてもよい。すなわち、第３領域Ｒ３は、完全な矩形形状でなくてもよい。
【００４４】
辺Ｒ３ｂは、方向ＤＲ４において、辺Ｒ２ａと辺Ｒ２ｂとの間にある。辺Ｒ２ａは、方向ＤＲ４において、辺Ｒ３ａと辺Ｒ３ｂとの間にある。辺Ｒ３ｃは、方向ＤＲ３において辺Ｒ２ｃと辺Ｒ２ｄとの間にあることが好ましく、辺Ｒ２ｄは、方向ＤＲ３において辺Ｒ３ｃと辺Ｒ３ｄとの間にあることが好ましい（第２領域Ｒ２と第３領域Ｒ３とが部分的に重なり合って形成されていることが好ましい）。
【００４５】
なお、この場合（取り付け孔２１ｂａが第３領域Ｒ３を有している場合）には、取り付け孔２１ｂｂ及び取り付け片２１ａｆは、必ずしも設けられる必要はない。
【００４６】
図５に示されるように、取り付け孔２１ｂｂは、取り付け孔２１ｂａと取り付け孔２１ｂｂとの間を通り、かつ方向ＤＲ４に沿う直線Ｌに関して、対称な形状を有していることが好ましい。
【００４７】
上記においては、カバー体２１ｂの下端側に取り付け孔２１ｂａ及び取り付け孔２１ｂｂを設けるとともに、下部部材２１ａａに取り付け片２１ａｅ及び取り付け片２１ａｆを設ける例を示した。しかしながら、取り付け孔２１ｂａ及び取り付け孔２１ｂｂをカバー体２１ｂの上端側に設けるとともに、取り付け片２１ａｅ及び取り付け片２１ａｆを上部部材２１ａｂに設けてもよい。この場合、カバー体２１ｂの下端側が、ネジにより下部部材２１ａａに取り付けられる。
【００４８】
取り付け孔２１ｂａ及び取り付け孔２１ｂｂは、好ましくは、金型を用いた打ち抜き加工で形成される。この金型の形状は、取り付け孔２１ｂａ及び取り付け孔２１ｂｂの形状に一致している。なお、図６のような形状の取り付け孔２１ｂａ（取り付け孔２１ｂｂ）は、第１領域Ｒ１（第２領域Ｒ２）の形状に一致する金型を用いて２回の打ち抜き加工を行うことにより形成される。
【００４９】
側部枠体２２ａ及びカバー体２２ｂは、取り付け片及び取り付け孔に関して、側部枠体２１ａ及びカバー体２１ｂとそれぞれ同一の構造を有していてもよい。側部枠体２３ａ及びカバー体２３ｂは、取り付け片及び取り付け孔に関して、側部枠体２１ａ及びカバー体２１ｂとそれぞれ同一の構造を有していてもよい。
【００５０】
側部枠体２１ａ及び側部枠体２３ａは、側部枠体２２ａ、側部枠体２４、上部枠体２５及び下部枠体２６により、互いに接続されている。
【００５１】
以下に、第１実施形態に係る温水装置１の構成を説明する。
図８に示されるように、温水装置１は、例えば温水暖房装置である。但し、温水装置１は、これに限られるものではない。
【００５２】
温水装置１は、シスターン１１と、燃焼ユニット１２とを有している。温水装置１は、さらに配管１３ａ、配管１３ｂ、配管１３ｃ、配管１３ｄ、配管１３ｅ、配管１３ｆ、配管１３ｇ及び配管１３ｈと、ポンプ１４とを有している。シスターン１１、燃焼ユニット１２、配管１３ａ〜配管１３ｇ及びポンプ１４は、筐体１０に収納されている。
【００５３】
燃焼ユニット１２は、一次熱交換器１２ａと、二次熱交換器１２ｂと、バーナ１２ｃとを有している。ポンプ１４は、シスターン１１に貯留されている水を、配管１３ｂ〜配管１３ｇに沿って、図８中の矢印の方向に循環させる。
【００５４】
配管１３ａの一方端にはシスターン１１が接続されており、配管１３ａの他方端には上水道が接続されている。配管１３ｂの一方端には、シスターン１１が接続されている。配管１３ｂの他方端には、配管１３ｃの一方端及び配管１３ｄの一方端が接続されている。配管１３ｂの経路上には、ポンプ１４が配置されている。
【００５５】
配管１３ｃの他方端は一次熱交換器１２ａが接続されており、配管１３ｄの他方端は低温暖房端末１５ａに接続されている。配管１３ｅの一方端は、一次熱交換器１２ａに接続されている。配管１３ｅの他方端は、高温暖房端末１５ｂに接続されている。
【００５６】
配管１３ｆの一方端は、分岐している。一方端において分岐している配管１３ｆの一方は、低温暖房端末１５ａに接続されている。一方端において分岐している配管１３ｆの他方は、高温暖房端末１５ｂに接続されている。配管１３ｆの他方端は、二次熱交換器１２ｂに接続されている。配管１３ｇの一方端は、二次熱交換器１２ｂに接続されている。配管１３ｇの他方端は、シスターン１１に接続されている。
【００５７】
シスターン１１には、配管１３ａを介して水が供給される。シスターン１１に貯留されている水は、配管１３ｂ及び配管１３ｃを介して一次熱交換器１２ａに供給される。一次熱交換器１２ａに供給された水は、バーナ１２ｃからの燃焼ガスとの間で熱交換を行うことにより昇温される。一次熱交換器１２ａを通過した水は、配管１３ｅを介して、高温暖房端末１５ｂに供給される。高温暖房端末１５ｂに供給された水は、暖房動作を行うことにより、温度が低下する。
【００５８】
高温暖房端末１５ｂを通過した水は、配管１３ｆを介して二次熱交換器１２ｂに供給される。二次熱交換器１２ｂに供給された水は、一次熱交換器１２ａと熱交換を行った後のバーナ１２ｃからの燃焼ガスとの間で熱交換を行うことにより昇温される。二次熱交換器１２ｂを通過した水は、配管１３ｇを介してシスターン１１に戻る。
【００５９】
シスターン１１に戻った水は、配管１３ｂ及び配管１３ｄを介して、低温暖房端末１５ａに供給される。低温暖房端末１５ａに供給された水は、暖房動作を行うことにより、温度が低下する。低温暖房端末１５ａを通過した水は、配管１３ｆを介して、二次熱交換器１２ｂに供給される。二次熱交換器１２ｂを通過した水は、配管１３ｇを介して、再びシスターン１１に戻る。
【００６０】
シスターン１１に貯留されている水の量が過剰となった場合、シスターン１１に貯留されている水は、配管１３ｈを介して外部に排出される。
【００６１】
以下に、第１実施形態に係る据置台２の効果を比較例と対比しながら説明する。
比較例に係る据置台においては、図９に示されるように、取り付け孔２１ｂａ及び取り付け孔２１ｂｂが、矩形形状を有している。比較例に係る据置台は、その余の点に関して据置台２と同様の構成を有している。
【００６２】
比較例に係る据置台において、方向ＤＲ４における取り付け孔２１ｂａ（取り付け孔２１ｂｂ）と取り付け片２１ａｅ（取り付け片２１ａｆ）とのクリアランスが大きい場合、カバー体２１ｂの側部枠体２１ａに対するガタつきが生じやすい。
【００６３】
他方で、比較例に係る据置台において、方向ＤＲ４における取り付け孔２１ｂａ（取り付け孔２１ｂｂ）と取り付け片２１ａｅ（取り付け片２１ａｆ）とのクリアランスを小さくしていくと、取り付け孔２１ｂａ（取り付け孔２１ｂｂ）を形成するための金型の幅が狭くなり、金型に加わる応力が大きくなるため、金型の耐久性が低くなる。
【００６４】
すなわち、比較例に係る据置台においては、カバー体２１ｂの側部枠体２１ａに対するガタつきと、取り付け孔２１ｂａ（取り付け孔２１ｂｂ）を形成するための金型の耐久性とを、両立することが困難である。
【００６５】
第１実施形態に係る据置台２では、方向ＤＲ４において、辺Ｒ１ｂが辺Ｒ２ａと辺Ｒ２ｂとの間にあり、辺Ｒ２ａが辺Ｒ１ａと辺Ｒ１ｂとの間にある。方向ＤＲ４における取り付け孔２１ｂａ（取り付け孔２１ｂｂ）と取り付け片２１ａｅ（取り付け片２１ａｆ）とのクリアランスは、辺Ｒ１ｂと辺Ｒ２ａとの間の距離で決まり、辺Ｒ１ｂと辺Ｒ２ａとの間の距離は、辺Ｒ１ａと辺Ｒ１ｂとの間の距離及び辺Ｒ２ａと辺Ｒ２ｂとの間の距離よりも小さい。
【００６６】
そのため、据置台２では、方向ＤＲ４における取り付け孔２１ｂａ（取り付け孔２１ｂｂ）と取り付け片２１ａｅ（取り付け片２１ａｆ）とのクリアランスが、取り付け孔２１ｂａ（取り付け孔２１ｂｂ）が矩形形状を有している場合と比較して、相対的に小さくなる。すなわち、据置台２では、カバー体２１ｂの側部枠体２１ａに対するガタつきを抑制することができる。
【００６７】
図５及び７に示される形状の取り付け孔２１ｂａ（取り付け孔２１ｂｂ）は、当該形状と一致する形状の金型を用いて抜き打ち加工で形成することができる。この金型は、辺Ｒ１ｂと辺Ｒ２ａとの間の距離よりも幅が狭い部分を有していない。また、図６に示される形状の取り付け孔２１ｂａ（取り付け孔２１ｂｂ）は、第１領域Ｒ１（第２領域Ｒ２）の形状に一致する形状の金型を用いて、抜き打ち加工を２回行うことで形成することができる。この金型も、辺Ｒ１ｂと辺Ｒ２ａとの間の距離よりも幅が狭い部分を有していない。
【００６８】
このように、据置台２においては、辺Ｒ１ｂと辺Ｒ２ａとの間の距離よりも幅が広い金型を用いて、取り付け孔２１ｂａ（取り付け孔２１ｂｂ）を抜き打ち加工で形成することができる。そのため、金型の耐久性を確保することが可能となる。
【００６９】
取り付け片２１ａｅは、図５に示される形状の取り付け孔２１ｂａに挿入された場合、取り付け孔２１ｂａ内で回転するおそれがある。より具体的には、図５中において、取り付け片２１ａｅが、時計回り方向に回転するおそれがある。しかしながら、取り付け孔２１ｂｂが直線Ｌに関して取り付け孔２１ｂａと対称な形状を有している場合、取り付け片２１ａｆは、取り付け孔２１ｂｂ内において時計回り方向に回転することが抑止される。そのため、この場合には、カバー体２１ｂが側部枠体２１ａに対して回転することに伴うガタつきを抑制することができる。
【００７０】
取り付け片２１ａｅが図７に示される形状の取り付け孔２１ｂａに挿入された場合、取り付け片２１ａｅは、辺Ｒ１ｂ及び辺Ｒ２ａと当接することにより、図７中における時計回り方向に回転し難い。また、取り付け片２１ａｅは、辺Ｒ３ｂ及び辺Ｒ２ａと当接することにより、図７中における反時計回り方向にも回転し難い。この場合には、カバー体２１ｂが側部枠体２１ａに対して回転することに伴うガタつきを抑制することができる。
【００７１】
抜き打ち加工においては、金型の耐久性の観点から、加工が行われる部分の幅が２ｍｍ以上であることが推奨される。特に、加工が行われる部分の幅は、３ｍｍ以上であることが好ましいとされる。他方で、カバー体２１ｂの側部枠体２１ａに対するガタつきを抑制する観点からは、加工が行われる部分の幅は、２ｍｍ以下であることが好ましい。据置台２において、幅Ｗ１が３ｍｍ以上であり、かつ幅Ｗ２が２ｍｍ以下である場合には、金型の耐久性を確保しつつ、カバー体２１ｂの側部枠体２１ａに対するガタつきをさらに抑制することができる。
【００７２】
（第２実施形態）
第２実施形態に係る組立体は、温水装置１と据置台２とを有している。しかしながら、第２実施形態に係る据置台２は、取り付け孔２１ｂａ及び取り付け孔２１ｂｂの詳細に関して、第１実施形態に係る据置台２と異なっている。第２実施形態に係る据置台２は、その余の点に関して、第１実施形態に係る据置台２と共通している。以下においては、この相違点を主に説明する。
【００７３】
図１０に示されるように、取り付け孔２１ｂａは、第１領域Ｒ１と、第２領域Ｒ２と、第３領域Ｒ３とを有している。第１領域Ｒ１及び第２領域Ｒ２は、取り付け片２１ａｅの厚さ方向と交差する方向ＤＲ３（第１方向）に沿って並んでいる。第３領域Ｒ３は、方向ＤＲ３において、第１領域Ｒ１及び第２領域Ｒ２に挟み込まれている。第３領域Ｒ３は、方向ＤＲ３において、第１領域Ｒ１及び第２領域Ｒ２の双方とつながっている。
【００７４】
取り付け片２１ａｅの厚さ方向に沿う方向ＤＲ４（第２方向）において、第１領域Ｒ１は、幅Ｗ３を有している。方向ＤＲ４において、第２領域Ｒ２は、幅Ｗ４を有している。方向ＤＲ４において、第３領域Ｒ３は、幅Ｗ５を有している。幅Ｗ５は、幅Ｗ３及び幅Ｗ４よりも小さい。
【００７５】
第１領域Ｒ１は、方向ＤＲ３において、幅Ｗ６を有している。第２領域Ｒ２は、方向ＤＲ３において、幅Ｗ７を有している。第３領域Ｒ３は、方向ＤＲ３において、幅Ｗ８を有している。幅Ｗ８を幅Ｗ６及び幅Ｗ７の合計で除した値は、０．０１以上０．９９以下であることが好ましい。
【００７６】
なお、取り付け孔２１ｂｂは、取り付け孔２１ｂａと同一の形状を有していることが好ましい。
【００７７】
上記のとおり、第２実施形態に係る据置台２においては、幅Ｗ５が幅Ｗ３及び幅Ｗ４よりも小さいため、取り付け孔２１ｂａ（取り付け孔２１ｂｂ）が矩形形状を有している場合と比較して、方向ＤＲ４における取り付け孔２１ｂａ（取り付け孔２１ｂｂ）と取り付け片２１ａｅ（取り付け片２１ａｆ）とのクリアランスを小さくすることができる。すなわち、第２実施形態に係る据置台２によると、カバー体２１ｂの側部枠体２１ａに対するガタつきを抑制することができる。
【００７８】
第２実施形態に係る据置台２においては、取り付け片２１ａｅ（取り付け片２１ａｆ）が取り付け孔２１ｂａ（取り付け孔２１ｂｂ）に対して若干傾いたとしても、取り付け片２１ａｅ（取り付け片２１ａｆ）を取り付け孔２１ｂａ（取り付け孔２１ｂｂ）に対して挿入することができる。幅Ｗ８を幅Ｗ６及び幅Ｗ７の合計で除した値が０．０１以上０．９９以下である場合には、カバー体２１ｂの側部枠体２１ａに対するガタつきを抑制しつつ、取り付け片２１ａｅ（取り付け片２１ａｆ）を取り付け孔２１ｂａ（取り付け孔２１ｂｂ）に対して挿入することができる。
【００７９】
今回開示された実施形態は全ての点で例示であって、制限的なものではないと考えられるべきである。本発明の範囲は、上記した実施の形態ではなく、特許請求の範囲によって示され、特許請求の範囲と均等の意味、及び範囲内での全ての変更が含まれることが意図される。
【産業上の利用可能性】
【００８０】
上記の実施形態は、温水装置を載置するための据置台及び温水装置と据置台とを有する組立体に特に有利に適用される。
【符号の説明】
【００８１】
１  温水装置、１０  筐体、１１  シスターン、１２  燃焼ユニット、１２ａ  一次熱交換器、１２ｂ  二次熱交換器、１２ｃ  バーナ、１３ａ，１３ｂ，１３ｃ，１３ｄ，１３ｅ，１３ｆ，１３ｇ，１３ｈ  配管、１４  ポンプ、１５ａ  低温暖房端末、１５ｂ  高温暖房端末、２  据置台、２１ａ，２２ａ，２３ａ，２４  側部枠体、２１ａａ  下部部材、２１ａｂ  上部部材、２１ａｄ  連結部材、２１ａｅ，２１ａｆ  取り付け片、２１ｂ，２２ｂ，２３ｂ  カバー体、２１ｂａ，２１ｂｂ  取り付け孔、２５  上部枠体、２６  下部枠体、ＤＲ１，ＤＲ２，ＤＲ３，ＤＲ４  方向、Ｌ  直線、Ｒ１ｄ，Ｒ１ｃ，Ｒ１ｂ，Ｒ１ａ，Ｒ２ｃ，Ｒ２ｄ，Ｒ２ａ，Ｒ２ｂ，Ｒ３ｄ，Ｒ３ａ，Ｒ３ｃ，Ｒ３ｂ  辺、Ｒ１  第１領域、Ｒ２  第２領域、Ｒ３  第３領域、Ｔ  厚さ、Ｗ１，Ｗ２，Ｗ３，Ｗ４，Ｗ５，Ｗ６，Ｗ７，Ｗ８  幅。
【図１】
2019203584.tif 000003
【図２】
2019203584.tif 000004
【図３】
2019203584.tif 000005
【図４】
2019203584.tif 000006
【図５】
2019203584.tif 000007
【図６】
2019203584.tif 000008
【図７】
2019203584.tif 000009
【図８】
2019203584.tif 000010
【図９】
2019203584.tif 000011
【図１０】
2019203584.tif 000012
【図１１】
2019203584.tif 000013